(57)【要約】【課題】竿受け枠を介しての左脚枠と右脚枠との間での前後方向への振ら付き度合いを小さくして、折畳み式物干し器の全体の強度を高める。左脚枠の脚上端部を竿受け枠の脚連結枠に対して連結するための構造を簡単にする。不使用折畳み姿勢での折畳み式物干し台の取り扱いを容易にする。【解決手段】竿受け枠３の前後の各脚連結枠６に対して、右脚枠２の前後の各脚上端部８は、各支点軸１３により左右方向へ一定範囲内で揺動可能に枢支するのに対して、左脚枠１の前後の各脚上端部７は、固着部１４により揺動および摺動共に不能に固着する。竿受け枠３の前後の各脚連結枠６の各肉厚内に、各挿嵌固定用穴１５と各左右揺動許容穴１６とを、互いに左右に並べて、共に下向きに開口させて形成する。この各挿嵌固定用穴１５に左脚枠１の各脚上端部７を密に挿入嵌合して固定することにより、前記各固着部１４を構成する。【選択図】      図１
2004201860.tif 000002
【特許請求の範囲】
【請求項１】
折畳み式物干し台は側面視で逆門形の左脚枠(１)および右脚枠(２)と、前後に長い竿受け枠(３)とを具え、
竿受け枠(３)は左右方向に走る物干し竿(４)の一端部を受ける竿受け部(５)を有し、この竿受け枠(３)の前後の各端部に各脚連結枠(６)(６)を設け、この各脚連結枠(６)(６)に左脚枠(１)の前後の各脚上端部(７)(７)と右脚枠(２)の前後の各脚上端部(８)(８)とをそれぞれ連結し、
左脚枠(１)と右脚枠(２)とは、この両者の前後の各脚下端接地部(９)(９)・(10)(10)同士が、互いに左右へ遠く離れ合った開脚接地使用姿勢(11)と、互いに左右から近付き合った不使用折畳み姿勢(12)とに、開閉揺動操作可能に構成した、
折畳み式物干し台において、
前記竿受け枠(３)の前後の各脚連結枠(６)(６)に対して、前記左脚枠(１)と右脚枠(２)とのいずれか一方の脚枠(２)の前後の各脚上端部(８)(８)は、各支点軸(13)(13)により左右方向へ一定範囲内で揺動可能に枢支するのに対して、その他方の脚枠(１)の前後の各脚上端部(７)(７)は、固着部(14)により揺動および摺動共に不能に固着し、
て構成したことを特徴とする折畳み式物干し台。
【請求項２】
請求項１に記載の折畳み式物干し台において、
前記竿受け枠(３)の前後の各脚連結枠(６)(６)の前後方向の各肉厚内に、各挿嵌固定用穴(15)(15)と各左右揺動許容穴(16)(16)とを、互いに左右に並べて、共に下向きに開口させて形成し、
この各挿嵌固定用穴(15)(15)に前記他方の脚枠(１)の前後の各脚上端部(７)(７)を密に挿入嵌合して固定することにより、前記各固着部(14)(14)を構成し、
上記各左右揺動許容穴(16)(16)に前記一方の脚枠(２)の脚上端部(８)(８)を挿入して、この各脚上端部(８)(８)を各支点軸(13)(13)で各連結枠(６)(６)に左右方向へ揺動可能に枢支し、
て構成したことを特徴とするもの。
【請求項３】
請求項２に記載の折畳み式物干し台において、
前記一方の脚枠(２)の前後の各脚上端部(８)(８)に各接当用補強キャップ(18)(18)を嵌合固定し、前記前後の各連結枠(６)(６)の各挿嵌固定用穴(15)(15)と各左右揺動許容穴(16)(16)との間の各穴同士間肉壁部分(19)(19)に上記各脚上端部(８)(８)の接当用補強キャップ(18)(18)を接当させることにより、他方の脚枠(１)に対して一方の脚枠(２)を開脚接地使用姿勢(11)に位置決めするように構成した、
ことを特徴とするもの。
【請求項４】
請求項１・２または３に記載の折畳み式物干し台において、
前記竿受け枠(３)は、１本の連結管(20)と少なくとも１つの竿受け部(５)と前後一対となる各脚連結枠(６)(６)とを、それぞれ独立部品として形成したものを具え、
この連結管(20)を前後方向に向けて、この管の途中部に竿受け部(５)の取付け部(21)を外嵌させて固定し、この管の前後各端部に前後一対の各脚連結枠(６)(６)の前後向きの各取付け筒部(22)(22)を外嵌させて固定し、
て構成したことを特徴とするもの。
【請求項５】
請求項１・２・３または４に記載の折畳み式物干し台において、
前記前側の脚連結枠(６)の後面から縦長溝形部材(24)と横板部材(25)とを後ろ向きに突設し、この横板部材(25)は縦長溝形部材(24)から左右方向へずらせて位置させ、
前記後ろ側の脚連結枠(６)の前面からも、上記縦長溝形部材(24)と横板部材(25)と対面して対となる縦長溝形部材(24)と横板部材(25)とを前向きに突設し、
小物干し器(26)は前後向きの支持パイプ(27)から小物吊持具(28)を横外向きの片持ち状に固着延出させたものから成り、この支持パイプ(27)の前後各端部は左右から圧し潰して上下方向に長い各回り止め用係合部(29)(29)として形成し、
この各回り止め用係合部(29)(29)を前記前後の各脚連結枠(６)(６)の各縦長溝形部材(24)(24)に上から嵌入させて回り止め状に支持させた回り止め支持状態(30)では、小物吊持具(28)が横外向きの片持ち状に支持された小物干し姿勢(31)に保持され、
上記各回り止め用係合部(29)(29)を各縦長溝形部材(24)(24)から抜き外して前記各横板部材(25)(25)上に載置した吊持状態(32)では、小物吊持具(28)が下向きに垂れ下がる折畳み姿勢(33)になるように構成した、
ことを特徴とするもの。
【請求項６】
請求項５に記載の折畳み式物干し台において、
前記前側の脚連結枠(６)の後面と後ろ側の脚連結枠(６)の前面とにそれぞれ、前記各縦長溝形部材(24)(24)と横板部材(25)(25)とを２組づつにして左右対称形に配置して設け、
この左右対称形に配置された両横板部材(25)(25)同士間に、前記小物干し器(26)の支持パイプ(27)の前後両端の各回り止め用係合部(29)を上下方向に通過させることのできる係合部通過用隙間(35)をあけて構成した、
ことを特徴とするもの。
【発明の詳細な説明】
【０００１】
【発明の属する技術分野】
本発明は、折畳み式物干し台に関する。
【０００２】
【前提構成】
本発明の折畳み式物干し台は、例えば図２（本発明）または図３（従来技術）に示すように、次の前提構成を有するものを対象とする。
図２は本発明の折畳み式物干し台の実施形態１を示す折畳み式物干し台全体の斜視図である。図３は従来技術を示す折畳み式物干し台の斜視図である。
【０００３】
折畳み式物干し台は側面視で逆門形の左脚枠(１)および右脚枠(２)と、前後に長い竿受け枠(３)とを具える。
竿受け枠(３)は左右方向に走る物干し竿(４)の一端部を受ける竿受け部(５)を有する。この竿受け枠(３)の前後の各端部に各脚連結枠(６)(６)を設ける。この各脚連結枠(６)(６)に左脚枠(１)の前後の各脚上端部(７)(７)と右脚枠(２)の前後の各脚上端部(８)(８)とをそれぞれ連結する。
【０００４】
左脚枠(１)と右脚枠(２)とは、この両者の前後の各脚下端接地部(９)(９)・(10)(10)同士が、互いに左右へ遠く離れ合った開脚接地使用姿勢(11)と、互いに左右から近付き合った不使用折畳み姿勢(12)とに、開閉揺動操作可能に構成したものである。
【０００５】
【従来の技術】
上記前提構成において、左脚枠(１)および右脚枠(２)を竿受け枠(３)に連結するための構成として、従来技術では次のものがある。
○  従来技術１．  図３．  特開２００２−２１９２９９号公報参照．
図３は従来技術を示す折畳み式物干し台の斜視図である。
【０００６】
前記竿受け枠(３)の前後の各脚連結枠(６)(６)に対して、前記左脚枠(１)の前後の各脚上端部(７)(７)と、右脚枠(２)の前後の各脚上端部(８)(８)との両方を共に、左右方向へ揺動可能に枢支したものである。
【０００７】
【特許文献１】
特開２００２−２１９２９９号公報
【０００８】
【発明が解決しようとする課題】
上記従来技術では、次の問題がある。
【０００９】
［  イ．  竿受け枠(３)の前後の各脚連結枠(６)(６)に対して、左脚枠(１)の前後の各脚上端部(７)(７)も右脚枠(２)の前後の各上端部(８)(８)も共に揺動可能に枢支し、この揺動枢支部に生ずる嵌合隙間によるガタ付きしろが左脚枠(１)と右脚枠(２)との両方で生じることから、竿受け枠(３)を介しての左脚枠(１)と右脚枠(２)との間での前後方向への振ら付き度合いが大きくなる分だけ、折畳み式物干し器の全体の強度が弱くなって、耐久性が低下する。  ］
【００１０】
竿受け枠(３)の前後の各脚連結枠(６)(６)に対して、左脚枠(１)の前後の各脚上端部(７)(７)も右脚枠(２)の前後の各上端部(８)(８)も共に揺動可能に枢支した構造であるから、この揺動枢支部に生ずる嵌合隙間によるガタ付きしろが左脚枠(１)と右脚枠(２)との両方で生じる。
【００１１】
これにより、竿受け枠(３)が外力で前後方向へ押された場合に、竿受け枠(３)を介しての左脚枠(１)と右脚枠(２)との間での前後方向への振ら付き度合いが大きくなる分だけ、折畳み式物干し器の全体の強度が弱くなって、耐久性が低下する。
【００１２】
［  ロ．  竿受け枠(３)の前後の各脚連結枠(６)(６)に対する左脚枠(１)および右脚枠(２)の連結構造が、共に可動式の複雑なものになる。  ］
竿受け枠(３)の前後の各脚連結枠(６)(６)に対して、左脚枠(１)の前後の各脚上端部(７)(７)も右脚枠(２)の前後の各上端部(８)(８)も共に揺動可能に枢支した構造であるから、その連結構造が共に可動式の複雑なものになる。
【００１３】
［  ハ．  左脚枠(１)と右脚枠(２)とを近づけ合って不使用折畳み姿勢(12)にした状態においては、竿受け枠(３)は左脚枠(１)にも右脚枠(２)にも拘束されないで自由に揺動してガタ付く分だけ、不使用折畳み姿勢(12)での折畳み式物干し台の取り扱いは困難になる。  ］
【００１４】
左脚枠(１)と右脚枠(２)とを近づけ合って不使用折畳み姿勢(12)にした状態においては、竿受け枠(３)は左脚枠(１)にも右脚枠(２)にも拘束されないで自由に揺動してガタ付くする。このため、この不使用折畳み姿勢(12)での折畳み式物干し台の取り扱いは、竿受け枠(３)がガタ付く分だけ、困難になる。
【００１５】
本発明の課題は、次のようにすることにある。
（イ）．他方の脚枠の脚上端部は竿受け枠の脚連結枠に対して、固着部により揺動および摺動共に不能に固着することにより、竿受け枠を介しての他方の脚枠と一方の脚枠との間での前後方向への振ら付き度合いを小さくして、折畳み式物干し器の全体の強度を高める。
【００１６】
（ロ）．他方の脚枠の脚上端部を竿受け枠の脚連結枠に対して連結するための構造は、固着部により揺動および摺動共に不能に固着する構造にすることにより、その連結構造を簡単にする。
（ハ）．竿受け枠は脚連結枠を介して固着部により他方の脚枠に固着することにより、不使用折畳み姿勢での折畳み式物干し台の取り扱いは、竿受け枠がガタ付かない分だけ、容易になる。
【００１７】
（ニ）．竿受け枠と脚枠とを固着する固着部は、挿嵌固定用穴に脚上端部を密に挿入嵌合して固定することにより、その固着構造は簡単で安価に実施できるうえ、固着強度が高くて耐久性に優れる。
（ホ）．竿受け枠に一方の脚枠を揺動可能に枢支する構造は、左右揺動許容穴に脚枠の脚上端部を挿入して、支点軸で枢支する構造にすることにより、各支点軸は短いもので済むうえ、脚連結枠に両持ち状に支持されるので、その枢支構造は簡単で安価に実施できるうえ、枢支強度が高くて耐久性に優れる。
【００１８】
（ヘ）．一方の脚枠を開脚接地使用姿勢に位置決めする構造は、穴同士間肉壁部分に脚上端部の接当用補強キャップを接当させる構造にすることにより、この穴同士間肉壁部分は両脚枠の脚上端部同士間で挟圧されて圧縮力を受けるだけなので、破損されにくくて耐久性に優れる。
（ト）．形状が複雑になる連結枠および竿受け部は共通部品にできる分だけ、複数種類の竿受け枠を造り分けるコストを引き下げる。
【００１９】
（チ）．小物干し器を小物干し姿勢に保持する構造も、小物干し器を下向きの折畳み姿勢の支持する構造も、簡単なものにして、安価に実施できる。
（リ）．両脚連結枠に２台の小物干し器を左右対称に延出する小物干し姿勢に保持させることにより、タオル・ハンカチ・靴下などの小物の干し物を干せる数を倍増する。
【００２０】
【課題を解決するための手段】
本発明の折畳み式物干し台は、上記前提構成において、上記課題を解決するために、例えば図１・図２に示すように、左脚枠(１)および右脚枠(２)を竿受け枠(３)に連結するするための構成として、次の特徴構成を追加したことを特徴とする。
【００２１】
図１および図２は本発明の折畳み式物干し台の実施形態１を示す。図２は折畳み式物干し台の全体の斜視図である。図１は折畳み式物干し台の竿受け枠の脚連結枠の部分を示し、図２のＩ矢視部分に相当するものの図である。図１（Ａ）は脚連結枠の部分の縦断背面図であって、図１（Ｂ）のＡ−Ａ線断面図。図１（Ｂ）は図１（Ａ）のＢ−Ｂ線断面図。図１（Ｃ）は図１（Ａ）のＣ−Ｃ線断面図。図１（Ｄ）は図１（Ｂ）のＤ−Ｄ線断面図である。
【００２２】
○  発明１．  請求項１．  図１参照．
前記竿受け枠(３)の前後の各脚連結枠(６)(６)に対して、前記左脚枠(１)と右脚枠(２)とのいずれか一方の脚枠(２)の前後の各脚上端部(８)(８)は、各支点軸(13)(13)により左右方向へ一定範囲内で揺動可能に枢支するのに対して、その他方の脚枠(１)の前後の各脚上端部(７)(７)は、固着部(14)により揺動および摺動共に不能に固着する。
【００２３】
○  発明２．  請求項２．  図１参照．
この発明２は、上記発明１において、次の特徴構成を追加したことを特徴とする。
【００２４】
前記竿受け枠(３)の前後の各脚連結枠(６)(６)の前後方向の各肉厚内に、各挿嵌固定用穴(15)(15)と各左右揺動許容穴(16)(16)とを、互いに左右に並べて、共に下向きに開口させて形成する。
【００２５】
この各挿嵌固定用穴(15)(15)に前記他方の脚枠(１)の前後の各脚上端部(７)(７)を密に挿入嵌合して固定することにより、前記各固着部(14)(14)を構成する。
上記各左右揺動許容穴(16)(16)に前記一方の脚枠(２)の脚上端部(８)(８)を挿入して、この各脚上端部(８)(８)を各支点軸(13)(13)で各連結枠(６)(６)に左右方向へ揺動可能に枢支する。
【００２６】
○  発明３．  請求項３．  図１参照．
この発明３は、上記発明２において、次の特徴構成を追加したことを特徴とする。
【００２７】
前記一方の脚枠(２)の前後の各脚上端部(８)(８)に各接当用補強キャップ(18)(18)を嵌合固定する。前記前後の各連結枠(６)(６)の各挿嵌固定用穴(15)(15)と各左右揺動許容穴(16)(16)との間の各穴同士間肉壁部分(19)(19)に、上記各脚上端部(８)(８)の接当用補強キャップ(18)(18)を接当させることにより、他方の脚枠(１)に対して一方の脚枠(２)を開脚接地使用姿勢(11)に位置決めするように構成する。
【００２８】
○  発明４．  請求項４．  図１参照．
この発明４は、上記発明１・２または３において、次の特徴構成を追加したことを特徴とする。
【００２９】
前記竿受け枠(３)は、１本の連結管(20)と少なくとも１つの竿受け部(５)と前後一対となる各脚連結枠(６)(６)とを、それぞれ独立部品として形成したものを具える。
この連結管(20)を前後方向に向けて、この管の途中部に竿受け部(５)の取付け部(21)を外嵌させて固定する。この管の前後各端部に前後一対の各脚連結枠(６)(６)の前後向きの各取付け筒部(22)(22)を外嵌させて固定する。
【００３０】
○  発明５．  請求項５．  図１参照．
この発明５は、上記発明１・２・３または・４において、次の特徴構成を追加したことを特徴とする。
【００３１】
前記前側の脚連結枠(６)の後面から縦長溝形部材(24)と横板部材(25)とを後ろ向きに突設する。この横板部材(25)は縦長溝形部材(24)から左右方向へずらせて位置させる。
前記後ろ側の脚連結枠(６)の前面からも、上記縦長溝形部材(24)と横板部材(25)と対面して対となる縦長溝形部材(24)と横板部材(25)とを前向きに突設する。
【００３２】
小物干し器(26)は、前後向きの支持パイプ(27)から小物吊持具(28)を横外向きの片持ち状に固着延出させたものから成る。この支持パイプ(27)の前後各端部は、左右から圧し潰して、上下方向に長い各回り止め用係合部(29)(29)として形成する。
【００３３】
この各回り止め用係合部(29)(29)を、前記前後の各脚連結枠(６)(６)の各縦長溝形部材(24)(24)に上から嵌入させて、回り止め状に支持させた回り止め支持状態(30)では、小物吊持具(28)が横外向きの片持ち状に支持された小物干し姿勢(31)に保持される。
【００３４】
上記各回り止め用係合部(29)(29)を各縦長溝形部材(24)(24)から抜き外して前記各横板部材(25)(25)上に載置した吊持状態(32)では、小物吊持具(28)が下向きに垂れ下がる折畳み姿勢(33)になるように構成する。
【００３５】
○  発明６．  請求項６．  図１参照．
この発明６は、上記発明５において、次の特徴構成を追加したことを特徴とする。
【００３６】
前記前側の脚連結枠(６)の後面と後ろ側の脚連結枠(６)の前面とにそれぞれ、前記各縦長溝形部材(24)(24)と横板部材(25)(25)とを２組づつにして、左右対称形に配置して設ける。
この左右対称形に配置された両横板部材(25)(25)同士間に、前記小物干し器(26)の支持パイプ(27)の前後両端の各回り止め用係合部(29)を上下方向に通過させることのできる係合部通過用隙間(35)をあけて構成する。
【００３７】
【発明の効果】
本発明の折畳み式物干し台は、つぎの効果を奏する。
○  発明１．  請求項１．  図１参照．
【００３８】
［  イ．  他方の脚枠(１)の脚上端部(７)は竿受け枠(３)の脚連結枠(６)に対して、固着部(14)により揺動および摺動共に不能に固着することにより、ガタ付きしろを無くして、竿受け枠(３)を介しての他方の脚枠(１)と一方の脚枠(２)との間での前後方向への振ら付き度合いが小さくなる分だけ、折畳み式物干し器の全体の強度が高められて、耐久性が向上する。  ］
【００３９】
本発明１は、つぎの特徴構成を有する。
前記竿受け枠(３)の前後の各脚連結枠(６)(６)に対して、前記左脚枠(１)と右脚枠(２)とのいずれか一方の脚枠(２)の前後の各脚上端部(８)(８)は、各支点軸(13)(13)により左右方向へ一定範囲内で揺動可能に枢支するのに対して、その他方の脚枠(１)の前後の各脚上端部(７)(７)は、固着部(14)により揺動および摺動共に不能に固着する。
【００４０】
この特徴構成から、前記他方の脚枠(１)の前後の各脚上端部(７)(７)は竿受け枠(３)の前後の各脚連結枠(６)(６)に対して、固着部(14)により揺動および摺動共に不能に固着する構造であるから、前記従来技術の揺動可能に枢支する構造と比べて、その揺動枢支部に生ずる嵌合隙間によるガタ付きしろを無くすことができる。
【００４１】
これにより、竿受け枠(３)が外力で前後方向へ押された場合に、竿受け枠(３)を介しての他方の脚枠(１)と一方の脚枠(２)との間での前後方向への振ら付き度合いが小さくなる分だけ、折畳み式物干し器の全体の強度が高められて、耐久性が向上する。
【００４２】
［  ロ．  他方の脚枠(１)の脚上端部(７)を竿受け枠(３)の脚連結枠(６)に対して連結するための構造は、固着部(14)により揺動および摺動共に不能に固着する構造であるから、その連結構造が簡単になる。  ］
【００４３】
上記特徴構成から、他方の脚枠(１)の各脚上端部(７)(７)を竿受け枠(３)の各脚連結枠(６)(６)に対して連結するための構造は、固着部(14)により揺動および摺動共に不能に固着する構造であるから、前記従来技術の揺動可能に枢支する構造と比べて、その連結構造が簡単になる分だけ、その製造コストを引き下げることができる。
【００４４】
［  ハ．  竿受け枠(３)は脚連結枠(６)を介して固着部(14)により他方の脚枠(１)に固着されていて、揺動することが無く安定しているため、不使用折畳み姿勢(12)での折畳み式物干し台の取り扱いは、竿受け枠(３)がガタ付かない分だけ、容易になる。  ］
【００４５】
上記特徴構成から、左脚枠(１)と右脚枠(２)とを近づけ合って不使用折畳み姿勢(12)にした状態においては、竿受け枠(３)は各脚連結枠(６)(６)を介して各固着部(14)(14)により他方の脚枠(１)に固着されていて、揺動することが無く安定している。このため、この不使用折畳み姿勢(12)での折畳み式物干し台の取り扱いは、竿受け枠(３)がガタ付かない分だけ、容易になる。
【００４６】
○  発明２．  請求項２．  図１参照．
この発明２は、上記発明１の効果［イ］・［ロ］・［ハ］に加えて、つぎの効果を奏する。
【００４７】
［  ニ．  竿受け枠(３)と脚枠(１)とを固着する固着部(14)は、挿嵌固定用穴(15)に脚上端部(７)を密に挿入嵌合して固定することにより、その固着構造は簡単で安価に実施できるうえ、固着強度が高くて耐久性に優れる。  ］
【００４８】
本発明２は、つぎの特徴構成を有する。
前記竿受け枠(３)の前後の各脚連結枠(６)(６)の前後方向の各肉厚内に、各挿嵌固定用穴(15)(15)と各左右揺動許容穴(16)(16)とを、互いに左右に並べて、共に下向きに開口させて形成する。
【００４９】
この各挿嵌固定用穴(15)(15)に前記他方の脚枠(１)の前後の各脚上端部(７)(７)を密に挿入嵌合して固定することにより、前記各固着部(14)(14)を構成する。
上記各左右揺動許容穴(16)(16)に前記一方の脚枠(２)の脚上端部(８)(８)を挿入して、この各脚上端部(８)(８)を各支点軸(13)(13)で各連結枠(６)(６)に左右方向へ揺動可能に枢支する。
【００５０】
この特徴構成から、竿受け枠(３)と他方の脚枠(１)とを固着する固着部(14)は、各脚連結枠(６)(６)の肉厚内に形成した各挿嵌固定用穴(15)(15)に他方の脚枠(１)の各脚上端部(７)(７)を密に挿入嵌合して固定するので、その固着構造は簡単で安価に実施できるうえ、固着強度が高くて耐久性に優れる。
【００５１】
［  ホ．  竿受け枠(３)に一方の脚枠(２)を揺動可能に枢支する構造は、左右揺動許容穴(16)に脚枠(２)の脚上端部(８)を挿入して、支点軸(13)で枢支する構造にすることにより、各支点軸(13)は短いもので済むうえ、脚連結枠(６)に両持ち状に支持されるので、その枢支構造は簡単で安価に実施できるうえ、枢支強度が高くて耐久性に優れる。  ］
【００５２】
上記特徴構成から、竿受け枠(３)に一方の脚枠(２)を揺動可能に枢支する構造は、各脚連結枠(６)(６)の肉厚内に形成した各左右揺動許容穴(16)(16)に一方の脚枠(２)の各脚上端部(８)(８)を挿入して、各支点軸(13)(13)で枢支する構造であり、各支点軸(13)(13)は短いもので済むうえ、各脚連結枠(６)(６)に両持ち状に支持されるので、その枢支構造は簡単で安価に実施できるうえ、枢支強度が高くて耐久性に優れる。
【００５３】
○  発明３．  請求項３．  図１参照．
この発明３は、上記発明１の効果［イ］・［ロ］・［ハ］、および上記発明２の効果［ニ］・［ホ］に加えて、つぎの効果を奏する。
【００５４】
［  へ．  一方の脚枠(２)を開脚接地使用姿勢(11)に位置決めする構造は、穴同士間肉壁部分(19)に脚上端部(８)の接当用補強キャップ(18)を接当させる構造にすることにより、この穴同士間肉壁部分(19)は両脚枠(１)(２)の脚上端部(８)(９)同士間で挟圧されて圧縮力を受けるだけなので、破損されにくくて耐久性に優れる。  ］
【００５５】
本発明３は、つぎの特徴構成を有する。
前記一方の脚枠(２)の前後の各脚上端部(８)(８)に各接当用補強キャップ(18)(18)を嵌合固定する。前記前後の各連結枠(６)(６)の各挿嵌固定用穴(15)(15)と各左右揺動許容穴(16)(16)との間の各穴同士間肉壁部分(19)(19)に、上記各脚上端部(８)(８)の接当用補強キャップ(18)(18)を接当させることにより、他方の脚枠(１)に対して一方の脚枠(２)を開脚接地使用姿勢(11)に位置決めするように構成する。
【００５６】
この特徴構成から、他方の脚枠(１)に対して一方の脚枠(２)を開脚接地使用姿勢(11)に位置決めする構造は、前記各穴同士間肉壁部分(19)に上記各脚上端部(８)の接当用補強キャップ(18)を接当させる構造であり、この穴同士間肉壁部分(19)は両脚枠(１)(２)の脚上端部(８)(９)同士間で挟圧されて圧縮力を受けるだけなので、引っ張り力を受ける場合とは異なり、破損されにくくて耐久性に優れる。
【００５７】
○  発明４．  請求項４．  図１参照．
この発明４は、上記発明１の効果［イ］・［ロ］・［ハ］に加えて、つぎの効果を奏する。
［  ト．  形状が複雑になる連結枠(６)および竿受け部(５)は共通部品にできる分だけ、複数種類の竿受け枠(３)を造り分けるコストを引き下げることができる。  ］
【００５８】
本発明４は、つぎの特徴構成を有する。
前記竿受け枠(３)は、１本の連結管(20)と少なくとも１つの竿受け部(５)と前後一対となる各脚連結枠(６)(６)とを、それぞれ独立部品として形成したものを具える。
【００５９】
この連結管(20)を前後方向に向けて、この管の途中部に竿受け部(５)の取付け部(21)を外嵌させて固定する。この管の前後各端部に前後一対の各脚連結枠(６)(６)の前後向きの各取付け筒部(22)(22)を外嵌させて固定する。
【００６０】
この特徴構成から、竿受け枠(３)は、その全長が異なるものや、竿受け部(５)の数の異なるものなどを複数種類に造り分ける場合において、形状が複雑になる連結枠(６)および竿受け部(５)は共通部品にできる分だけ、その複数種類の竿受け枠(３)を造り分けるコストを引き下げることができる。
【００６１】
○  発明５．  請求項５．  図１参照．
この発明５は、上記発明１の効果［イ］・［ロ］・［ハ］に加えて、つぎの効果を奏する。
［  チ．  小物干し器(26)を小物干し姿勢(31)に保持する構造も、小物干し器(26)を下向きの折畳み姿勢(33)の支持する構造も、簡単なものにして、安価に実施できる。  ］
【００６２】
本発明５は、つぎの特徴構成を有する。
前記前側の脚連結枠(６)の後面から縦長溝形部材(24)と横板部材(25)とを後ろ向きに突設する。この横板部材(25)は縦長溝形部材(24)から左右方向へずらせて位置させる。
前記後ろ側の脚連結枠(６)の前面からも、上記縦長溝形部材(24)と横板部材(25)と対面して対となる縦長溝形部材(24)と横板部材(25)とを前向きに突設する。
【００６３】
小物干し器(26)は、前後向きの支持パイプ(27)から小物吊持具(28)を横外向きの片持ち状に固着延出させたものから成る。この支持パイプ(27)の前後各端部は、左右から圧し潰して、上下方向に長い各回り止め用係合部(29)(29)として形成する。
【００６４】
この各回り止め用係合部(29)(29)を、前記前後の各脚連結枠(６)(６)の各縦長溝形部材(24)(24)に上から嵌入させて、回り止め状に支持させた回り止め支持状態(30)では、小物吊持具(28)が横外向きの片持ち状に支持された小物干し姿勢(31)に保持される。
【００６５】
上記各回り止め用係合部(29)(29)を各縦長溝形部材(24)(24)から抜き外して前記各横板部材(25)(25)上に載置した吊持状態(32)では、小物吊持具(28)が下向きに垂れ下がる折畳み姿勢(33)になるように構成する。
【００６６】
この特徴構成から、小物干し器(26)を小物干し姿勢(31)に保持する構造は、支持パイプ(27)の前後各端部を押し潰して形成した各回り止め用係合部(29)(29)を、各脚連結枠(６)(６)から突設した各縦長溝部材(24)(24)に上から嵌入させて、回り止め支持状態(30)にする構造であるから、その小物干し姿勢(31)の保持構造は簡単なものにして、安価に実施できる。
【００６７】
また、小物干し器(26)を下向きの折畳み姿勢(33)の支持する構造は、上記支持パイプ(27)の両端の各回り止め用係合部(29)(29)を、各脚連結枠(６)(６)から突設した各横板部材(25)(25)上に載置した吊持状態(32)にする構造であるから、その折畳み姿勢(33)の支持構造も簡単なものにして、安価に実施できる。
【００６８】
○  発明６．  請求項６．  図１参照．
この発明６は、上記発明１の効果［イ］・［ロ］・［ハ］、および上記発明５の効果［チ］に加えて、つぎの効果を奏する。
［  リ．  両脚連結枠(６)(６)に２台の小物干し器(26)(26)を左右対称に延出する小物干し姿勢(31)に保持させることにより、タオル・ハンカチ・靴下などの小物の干し物を干せる数を倍増することができる。  ］
【００６９】
本発明６は、つぎの特徴構成を有する。
前記前側の脚連結枠(６)の後面と後ろ側の脚連結枠(６)の前面とにそれぞれ、前記各縦長溝形部材(24)(24)と横板部材(25)(25)とを２組づつにして、左右対称形に配置して設ける。
【００７０】
この左右対称形に配置された両横板部材(25)(25)同士間に、前記小物干し器(26)の支持パイプ(27)の前後両端の各回り止め用係合部(29)を上下方向に通過させることのできる係合部通過用隙間(35)をあけて構成する。
【００７１】
この特徴構成から、小物干し器(26)の前後両端の各回り止め用係合部(29)を前後の各連結枠(６)の両横板部材(25)(25)同士間に通過させることにより、小物干し器(26)を両脚連結枠(６)に任意に着脱することができる。
【００７２】
そして、両脚連結枠(６)(６)に２台の小物干し器(26)(26)を左右対称に延出する小物干し姿勢(31)に保持させることができる。これにより、タオル・ハンカチ・靴下などの小物の干し物を両小物干し器(26)(26)に吊持させる分だけ、その小物を干せる数を倍増することができる。
【００７３】
【発明の実施の形態】
以下、本発明の折畳み式物干し台の実施の形態を、図面に基づき説明する。
○  実施形態１．  請求項１・２・３・４・５・６．  図１・図２参照．
【００７４】
図１および図２は本発明の折畳み式物干し台の実施形態１を示す。図２は折畳み式物干し台の全体の斜視図である。図１は折畳み式物干し台の竿受け枠の脚連結枠の部分を示し、図２のＩ矢視部分に相当するものの図である。図１（Ａ）は脚連結枠の部分の縦断背面図であって、図１（Ｂ）のＡ−Ａ線断面図。図１（Ｂ）は図１（Ａ）のＢ−Ｂ線断面図。図１（Ｃ）は図１（Ａ）のＣ−Ｃ線断面図。図１（Ｄ）は図１（Ｂ）のＤ−Ｄ線断面図である。
【００７５】
図１および図２において、符号(１)は金属パイプ製の逆門形の左脚枠、(２)は金属パイプ製の逆門形の右脚枠、(３)は前後に長い竿受け枠である。(４)は物干し竿、(５)は合成樹脂製の竿受け部、(６)は合成樹脂製の脚連結枠、(20)は金属パイプ製の連結管である。(７)は左脚枠(１)の脚上端部、(８)は右脚枠(２)の脚上端部である。
【００７６】
折畳み式物干し台は側面視で逆門形の左脚枠(１)および右脚枠(２)と、前後に長い竿受け枠(３)とを具える。
竿受け枠(３)は左右方向に走る物干し竿(４)の一端部を受ける２つの竿受け部(５)(５)を有する。この竿受け枠(３)の前後の各端部に各脚連結枠(６)(６)を設ける。この各脚連結枠(６)(６)に左脚枠(１)の前後の各脚上端部(７)(７)と右脚枠(２)の前後の各脚上端部(８)(８)とをそれぞれ連結する。
【００７７】
左脚枠(１)と右脚枠(２)とは、この両者の前後の合成樹脂製の各脚下端接地部(９)(９)・(10)(10)同士が、互いに左右へ遠く離れ合った開脚接地使用姿勢(11)と、互いに左右から近付き合った不使用折畳み姿勢(12)とに、開閉揺動操作可能に構成する。
【００７８】
前記竿受け枠(３)の前後の各脚連結枠(６)(６)に対して、前記右脚枠(２)の前後の各脚上端部(８)(８)は、ボルトから成る各支点軸(13)(13)により左右方向へ一定範囲内で揺動可能に枢支するのに対して、右脚枠(１)の前後の各脚上端部(７)(７)を固着部(14)により揺動および摺動共に不能に固着する。
【００７９】
前記竿受け枠(３)の前後の各脚連結枠(６)(６)の前後方向の各肉厚内に、各挿嵌固定用穴(15)(15)と各左右揺動許容穴(16)(16)とを、互いに左右に並べて、共に下向きに開口させて形成する。
この各挿嵌固定用穴(15)(15)に前記左脚枠(１)の前後の各脚上端部(７)(７)を密に挿入嵌合して、各止めネジ(41)(41)で抜け止めして固定することにより、前記各固着部(14)(14)を構成する。
【００８０】
上記各左右揺動許容穴(16)(16)に前記右脚枠(２)の各脚上端部(８)(８)を挿入して、この各脚上端部(８)(８)をボルトから成る各支点軸(13)(13)で各連結枠(６)(６)に左右方向へ揺動可能に枢支する。
【００８１】
前記右脚枠(２)の前後の各脚上端部(８)(８)に合成樹脂製の各接当用補強キャップ(18)(18)を嵌合固定する。前記前後の各連結枠(６)(６)の各挿嵌固定用穴(15)(15)と各左右揺動許容穴(16)(16)との間の各穴同士間肉壁部分(19)(19)に、上記各脚上端部(８)(８)の接当用補強キャップ(18)(18)を接当させることにより、他方の脚枠(１)に対して一方の脚枠(２)を開脚接地使用姿勢(11)に位置決めするように構成する。
【００８２】
前記竿受け枠(３)は、１本の金属製の連結管(20)と合成樹脂製の２つの竿受け部(５)と前後一対となる合成樹脂製の各脚連結枠(６)(６)とを、それぞれ独立部品として形成したものを具える。
【００８３】
この連結管(20)を前後方向に向けて、この管の途中部に竿受け部(５)(５)の二股状の取付け部(21)(21)を外嵌させてボルト(42)(42)で固定する。この管の前後各端部に前後一対の各脚連結枠(６)(６)の前後向きの各取付け筒部(22)(22)を外嵌させて、止めネジ(43)(43)で抜け止めして固定する。
【００８４】
前記前側の脚連結枠(６)の後面から縦長溝形部材(24)と横板部材(25)とを後ろ向きに突設する。この横板部材(25)は縦長溝形部材(24)から左右方向へずらせて位置させる。
前記後ろ側の脚連結枠(６)の前面からも、上記縦長溝形部材(24)と横板部材(25)と対面して対となる縦長溝形部材(24)と横板部材(25)とを前向きに突設する。
【００８５】
小物干し器(26)は、金属パイプ製の前後向きの支持パイプ(27)から金属棒製の小物吊持具(28)を横外向きの片持ち状に固着延出させたものから成る。この支持パイプ(27)の前後各端部は、左右から圧し潰して、上下方向に長い各回り止め用係合部(29)(29)として形成する。
【００８６】
この各回り止め用係合部(29)(29)を、前記前後の各脚連結枠(６)(６)の各縦長溝形部材(24)(24)に上から嵌入させて、回り止め状に支持させた回り止め支持状態(30)では、小物吊持具(28)が横外向きの片持ち状に支持された小物干し姿勢(31)に保持される。
【００８７】
上記各回り止め用係合部(29)(29)を各縦長溝形部材(24)(24)から抜き外して前記各横板部材(25)(25)上に載置した吊持状態(32)では、小物吊持具(28)が下向きに垂れ下がる折畳み姿勢(33)になるように構成する。
前記前側の脚連結枠(６)の後面と後ろ側の脚連結枠(６)の前面とにそれぞれ、前記各縦長溝形部材(24)(24)と横板部材(25)(25)とを２組づつにして、左右対称形に配置して設ける。
【００８８】
この左右対称形に配置された両横板部材(25)(25)同士間に、前記小物干し器(26)の支持パイプ(27)の前後両端の各回り止め用係合部(29)を上下方向に通過させることのできる係合部通過用隙間(35)をあけて構成したものである。
【図面の簡単な説明】
【図１】図１および図２は本発明の折畳み式物干し台の実施形態１を示す。図１は折畳み式物干し台の竿受け枠の脚連結枠の部分を示し、図２のＩ矢視部分に相当するものの図である。図１（Ａ）は脚連結枠の部分の縦断背面図であって、図１（Ｂ）のＡ−Ａ線断面図。図１（Ｂ）は図１（Ａ）のＢ−Ｂ線断面図。図１（Ｃ）は図１（Ａ）のＣ−Ｃ線断面図。図１（Ｄ）は図１（Ｂ）のＤ−Ｄ線断面図。
【図２】折畳み式物干し台の斜視図。
【図３】従来技術を示す折畳み式物干し台の斜視図。
【符号の説明】
１…左脚枠、  ２…右脚枠、  ３…竿受け枠、  ４…物干し竿、  ５…竿受け部、  ６…脚連結枠、  ７・８…脚上端部、  ９・１０脚下端接地部、  １１…開脚接地使用姿勢、  １２…不使用折畳み姿勢、  １３…支点軸、  １４…固着部、  １５…挿嵌固定用穴、  １６…左右揺動許容穴、  １８…接当用補強キャップ、  １９…穴同士間肉壁部分、  ２０…連結管、  ２１…取付け部、  ２２…取付け筒部、  ２４…縦長溝形部材、  ２５…横板部材、  ２６小物干し器、２７…支持パイプ、  ２８小物吊持具、  ２９…回り止め用係合部、  ３０…回り止め支持状態、  ３１…小物干し姿勢、  ３２…吊持状態、  ３３…折畳み姿勢、  ３５…係合部通過用隙間。
【図１】
2004201860.tif 000003
【図２】
2004201860.tif 000004
【図３】
2004201860.tif 000005